(57)【特許請求の範囲】
【請求項１】
移動局とゲートウェイ装置との間で、アクセスポイント毎にサービスベアラを設定することができるように構成されている移動通信システムにおける移動通信方法であって、
無線基地局が、配下のセルにおいて、前記サービスベアラのタイプ別にアクセスを規制するためのタイプ別アクセス情報を報知する工程Ａと、
移動局が、前記セルにおいて、発信要求の宛先アクセスポイントに対して設定されているサービスベアラのタイプに対応するタイプ別アクセス情報が報知されているか否かに応じて、該発信要求を送信するか否かについて判定する工程Ｂとを有することを特徴とする移動通信方法。
【請求項２】
前記工程Ｂは、
前記移動局のＮＡＳ機能が、該移動局のＡＳ機能に対して、前記発信要求の宛先アクセスポイントに対して設定されているサービスベアラのタイプを通知する工程と、
前記移動局のＡＳ機能が、通知された前記タイプ及び前記セルにおいて報知されている前記タイプ別アクセス情報に基づいて、該発信要求を送信するか否かについて判定する工程とを有することを特徴とする請求項１に記載の移動通信方法。
【請求項３】
前記工程Ｂは、
前記移動局のＡＳ機能が、該移動局のＮＡＳ機能に対して、前記セルにおいて報知されている前記タイプ別アクセス情報について通知する工程と、
前記移動局のＮＡＳ機能が、前記発信要求の宛先アクセスポイントに対して設定されているサービスベアラのタイプ及び通知された前記タイプ別アクセス情報に基づいて、該発信要求を送信するか否かについて判定する工程とを有することを特徴とする請求項１に記載の移動通信方法。
【請求項４】
前記サービスベアラのコンテキストが作成される際に、ネットワークが、前記移動局に対して、該サービスベアラのタイプを指定する工程を有することを特徴とする請求項１に記載の移動通信方法。
【請求項５】
ゲートウェイ装置との間で、アクセスポイント毎にサービスベアラを設定することができるように構成されている移動局であって、
待ち受けセルにおいて報知されている前記サービスベアラのタイプ別にアクセスを規制するためのタイプ別アクセス情報を受信するように構成されており、
前記待ち受けセルにおいて、発信要求の宛先アクセスポイントに対して設定されているサービスベアラのタイプに対応するタイプ別アクセス情報が通知されているか否かに応じて、該発信要求を送信するか否かについて判定するように構成されていることを特徴とする移動局。
【請求項６】
ＡＳ機能とＮＡＳ機能とを具備しており、
前記ＮＡＳ機能は、前記ＡＳ機能に対して、前記発信要求の宛先アクセスポイントに対して設定されているサービスベアラのタイプを通知するように構成されており、
前記ＡＳ機能は、タイプ別アクセス情報を受信するように構成されており、
前記ＡＳ機能は、通知された前記タイプ及び前記待ち受けセルにおいて報知されている前記タイプ別アクセス情報に基づいて、該発信要求を送信するか否かについて判定するように構成されていることを特徴とする請求項５に記載の移動局。
【請求項７】
ＡＳ機能とＮＡＳ機能とを具備しており、
前記ＡＳ機能は、タイプ別アクセス情報を受信するように構成されており、
前記ＡＳ機能は、前記ＮＡＳ機能に対して、前記待ち受けセルにおいて報知されている前記タイプ別アクセス情報について通知するように構成されており、
前記ＮＡＳ機能は、前記発信要求の宛先アクセスポイントに対して設定されているサービスベアラのタイプ及び通知された前記タイプ別アクセス情報に基づいて、該発信要求を送信するか否かについて判定するように構成されていることを特徴とする請求項５に記載の移動局。
【請求項８】
前記サービスベアラのコンテキストが作成される際に、ネットワークから、該サービスベアラのタイプが指定されるように構成されていることを特徴とする請求項５に記載の移動局。
【発明の詳細な説明】
【技術分野】
【０００１】
本発明は、移動通信方法及び移動局に関する。
【背景技術】
【０００２】
ＬＴＥ（Ｌｏｎｇ  Ｔｅｒｍ  Ｅｖｏｌｕｔｉｏｎ）のＲｅｌｅａｓｅ-８方式では、移動局ＵＥのＡＳ（Ａｃｃｅｓｓ  Ｓｔｒａｔｕｍ）機能が、待ち受けセルにおいて報知されている「ａｃ-Ｂａｒｒｉｎｇ  Ｆｏｒ  ＭＯ-Ｄａｔａ」及び「ａｃ-Ｂａｒｒｉｎｇ  Ｆｏｒ  ＭＯ-Ｓｉｇｎａｌｌｉｎｇ」を用いて、かかる移動局ＵＥによるアクセスが規制されているか否かについて判定するように構成されている。
【０００３】
また、ＬＴＥのＲｅｌｅａｓｅ-９方式では、移動局ＵＥのＩＭＳ/ＭＭＴＥＬ機能が、待ち受けセルにおいて報知されている「ＳＳＡＣ（Ｓｅｒｖｉｃｅ  Ｓｐｅｃｉｆｉｃ  ＡＣ）  Ｆｏｒ  ＭＭＴＥＬ-Ｖｏｉｃｅ」及び「ＳＳＡＣ  Ｆｏｒ  ＭＭＴＥＬ-Ｖｉｄｅｏ」を用いて、かかる移動局ＵＥによるアクセスが規制されているか否かについて判定するように構成されている。
【０００４】
さらに、ＬＴＥのＲｅｌｅａｓｅ-１０方式では、移動局ＵＥのＡＳ（Ａｃｃｅｓｓ  Ｓｔｒａｔｕｍ）機能が、待ち受けセルにおいて報知されているＣＳＦＢ用アクセス規制情報やＭＴＣ（Ｍａｃｈｉｎｅ  Ｔｙｐｅ  Ｃｏｍｍｕｎｉｃａｔｉｏｎ）用アクセス規制情報を用いて、かかる移動局ＵＥによるアクセスが規制されているか否かについて判定するように構成されている。
【先行技術文献】
【非特許文献】
【０００５】
【非特許文献１】３ＧＰＰ  ＴＳ３６.３３１  ｖ９.４.０
【非特許文献２】３ＧＰＰ  ＴＳ２４.３０１  ｖ９.４.０
【発明の概要】
【発明が解決しようとする課題】
【０００６】
しかしながら、従来のＬＴＥ方式では、ＡＰＮ（Ａｃｃｅｓｓ  Ｐｏｉｎｔ  Ｎａｍｅ）別に、また、サービスタイプ別に、移動局ＵＥによるアクセスを規制することができないため、あるＡＰＮのサーバにおいて障害が発生している場合であっても、移動局ＵＥは、かかるＡＰＮ宛ての発信要求を送信してしまうという問題点があった。
【０００７】
以下、ＡＰＮは、ＰＤＮ（Ｐａｃｋｅｔ  Ｄａｔａ  Ｎｅｔｗｏｒｋ）と読み替えられてもよい。
【０００８】
そこで、本発明は、上述の課題に鑑みてなされたものであり、サービスタイプ別に移動局ＵＥによるアクセスを適切に規制することができる移動通信方法及び移動局を提供することを目的とする。
【課題を解決するための手段】
【０００９】
本発明の第１の特徴は、移動局とゲートウェイ装置との間で、アクセスポイント毎にサービスベアラを設定することができるように構成されている移動通信システムにおける移動通信方法であって、無線基地局が、配下のセルにおいて、前記サービスベアラのタイプ別にアクセスを規制するためのタイプ別アクセス情報を報知する工程Ａと、移動局が、前記セルにおいて、発信要求の宛先アクセスポイントに対して設定されているサービスベアラのタイプに対応するタイプ別アクセス情報が報知されているか否かに応じて、該発信要求を送信するか否かについて判定する工程Ｂとを有することを要旨とする。
【００１０】
本発明の第２の特徴は、ゲートウェイ装置との間で、アクセスポイント毎にサービスベアラを設定することができるように構成されている移動局であって、待ち受けセルにおいて報知されている前記サービスベアラのタイプ別にアクセスを規制するためのタイプ別アクセス情報を受信するように構成されており、前記待ち受けセルにおいて、発信要求の宛先アクセスポイントに対して設定されているサービスベアラのタイプに対応するタイプ別アクセス情報が通知されているか否かに応じて、該発信要求を送信するか否かについて判定するように構成されていることを要旨とする。
【発明の効果】
【００１１】
以上説明したように、本発明によれば、サービスタイプ別に移動局ＵＥによるアクセスを適切に規制することができる移動通信方法及び移動局を提供することができる。
【図面の簡単な説明】
【００１２】
【図１】本発明の第１の実施形態に係る移動通信システムの全体構成図である。
【図２】本発明の第１の実施形態に係る移動局の機能ブロック図である。
【図３】本発明の第１の実施形態に係る移動通信システムの動作を示すシーケンス図である。
【図４】本発明の変更例１に係る移動通信システムの動作を示すシーケンス図である。
【発明を実施するための形態】
【００１３】
（本発明の第１の実施形態に係る移動通信システム）
図１乃至図３を参照して、本発明の第１の実施形態に係る移動通信システムについて説明する。
【００１４】
本実施形態に係る移動通信システムは、ＬＴＥ-Ｒｅｌｅａｓｅ１０方式の移動通信システムであって、図１に示すように、ゲートウェイ装置Ｐ/Ｓ-ＧＷと、移動管理ノードＭＭＥと、無線基地局ｅＮＢと、移動局ＵＥとを具備している。
【００１５】
本実施形態に係る移動通信システムでは、移動局ＵＥとゲートウェイ装置Ｐ/Ｓ-ＧＷとの間で、ＡＰＮ毎に、移動局ＵＥ用のＥＰＳ（Ｅｖｏｌｖｅｄ  Ｐａｃｋｅｔ  Ｓｙｓｔｅｍ）ベアラが設定されるように構成されており、移動局ＵＥと無線基地局ｅＮＢとの間で、移動局ＵＥ用の無線ベアラ、すなわち、移動局ＵＥ用のＤＲＢ（Ｄａｔａ  Ｒａｄｉｏ  Ｂｅａｒｅｒ、Ｕプレーン用）及びＳＲＢ（Ｓｉｇｎａｌｌｉｎｇ  Ｒａｄｉｏ  Ｂｅａｒｅｒ、Ｃプレーン用）が設定されるように構成されており、無線基地局ｅＮＢとゲートウェイ装置Ｐ/Ｓ-ＧＷとの間で、Ｓ１ベアラ（Ｕプレーン用及びＣプレーン用）が設定されるように構成されている。
【００１６】
ここで、Ｕプレーン用のＳ１ベアラは、Ｓ１-Ｕベアラと呼ばれてもよく、Ｃプレーン用のＳ１ベアラは、Ｓ１-Ｃベアラと呼ばれてもよい。
【００１７】
例えば、移動局ＵＥが、移動管理ノードに対してＡｔｔａｃｈ処理を行った場合に、上述のＥＰＳベアラが設定され、移動局ＵＥが、ＩＤＬＥ状態からＣＯＮＮＥＣＴＥＤ状態に遷移する場合に、上述の無線ベアラ及びＳ１ベアラが設定されるように構成されている。ここで、ＥＰＳベアラとＤＲＢとＳ１-Ｕベアラとは、１対１に対応する。
【００１８】
また、無線基地局ｅＮＢは、配下のセルにおいて、「ａｃ-Ｂａｒｒｉｎｇ  Ｆｏｒ  ＭＯ-Ｄａｔａ」や、「ａｃ-Ｂａｒｒｉｎｇ  Ｆｏｒ  ＭＯ-Ｓｉｇｎａｌｌｉｎｇ」や、「ＳＳＡＣ  Ｆｏｒ  ＭＭＴＥＬ-Ｖｏｉｃｅ」や、「ＳＳＡＣ  Ｆｏｒ  ＭＭＴＥＬ-Ｖｉｄｅｏ」や、ＣＳＦＢ用アクセス規制情報や、ＭＴＣ用アクセス規制情報に加えて、ＥＰＳベアラのタイプ別にアクセスを規制するための「ａｃ-Ｂａｒｒｉｎｇ（ＡＣＢ）  Ｆｏｒ  ＴＹＰＥ  ｘ」を報知することができるように構成されている。
【００１９】
ここで、「ａｃ-Ｂａｒｒｉｎｇ（ＡＣＢ）  Ｆｏｒ  ＴＹＰＥ  ｘ」は、「ａｃ-Ｂａｒｒｉｎｇ  Ｆｏｒ  ＭＯ-Ｄａｔａ」等と同様に、「ａｃ-Ｂａｒｒｉｎｇ  Ｆｏｒ  ＳｐｅｃｉａｌＡＣ」と「ａｃ-Ｂａｒｒｉｎｇ  Ｆａｃｔｏｒ」と「ａｃ-Ｂａｒｒｉｎｇ  Ｔｉｍｅ」とを有していてもよい。
【００２０】
なお、「ａｃ-Ｂａｒｒｉｎｇ  Ｆｏｒ  ＳｐｅｃｉａｌＡＣ」は、ＡＣ（Ａｃｃｅｓｓ  Ｃｌａｓｓ）１１〜１５のいずれの移動局ＵＥをアクセス規制対象とすべきかについて示す情報であり、例えば、５ビットからなる。
【００２１】
ここで、「Ａｃｃｅｓｓ  Ｃｌａｓｓ」は、移動局ＵＥに挿入されて用いられるＵＳＩＭ（Ｕｎｉｖｅｒｓａｌ  Ｓｕｂｓｃｒｉｂｅｒ  Ｉｄｅｎｔｉｆｉｅｒ  Ｍｏｄｕｌｅ）に保持される契約種別であり、ＡＣ１１〜１５は、優先ユーザであることを示す。
【００２２】
また、移動局ＵＥに挿入されて用いられているＵＳＩＭに、ＡＣ０〜９の何れか１つが保持されており、ＡＣ１１〜１５が保持されていない場合は、かかる移動局ＵＥは、一般ユーザと見なされる。ここで、一般ユーザ用のＵＳＩＭが挿入されている移動局ＵＥは、後述する規制判定処理において、「ａｃ-Ｂａｒｒｉｎｇ  Ｆｏｒ  ＳｐｅｃｉａｌＡＣ」を無視するように構成されていてもよい。
【００２３】
また、「ａｃ-Ｂａｒｒｉｎｇ  Ｆａｃｔｏｒ」には、０〜１００の範囲の値を設定することができ、「ａｃ-Ｂａｒｒｉｎｇ  Ｔｉｍｅ」には、アクセス規制を行う時間（Ｔ３０３タイマ又はＴ３０５タイマの設定時間）を設定することができる。
【００２４】
図２に示すように、移動局ＵＥは、ＩＭＳ/ＭＭＴＥＬ機能１１と、アプリケーション機能１２と、ＮＡＳ（Ｎｏｎ  Ａｃｃｅｓｓ  Ｓｔｒａｔｕｍ）機能１３と、ＡＳ機能１４とを具備している。
【００２５】
ＩＭＳ/ＭＭＴＥＬ機能１１は、ＩＭＳ/ＭＭＴＥＬレイヤの役割を果たすものであり、ＮＡＳ機能１３に対して、ＭＭＴＥＬ-ＶｏｉｃｅやＭＭＴＥＬ-Ｖｉｄｅｏの発信要求を送信するように構成されている。
【００２６】
アプリケーション機能１２は、ＩＭＳ/ＭＭＴＥＬレイヤ以外のアプリケーションレイヤの役割を果たすものであり、ＮＡＳ機能１３に対して、かかるアプリケーションレイヤによって制御されるアプリケーションの発信要求を送信するように構成されている。
【００２７】
ＮＡＳ機能１３は、ＮＡＳレイヤの役割（アタッチ制御や位置登録制御や発着信制御等）を果たすように構成されている。
【００２８】
また、ＮＡＳ機能１３は、ＩＭＳ/ＭＭＴＥＬ機能１１やアプリケーション機能１２から発信要求を受信した場合、かかる発信要求の宛先ＡＰＮに対して設定されているＥＰＳベアラのタイプ（サービスタイプ）を特定し、ＡＳ機能１４に対して、特定した宛先ＡＰＮに対して設定されているＥＰＳベアラのタイプを示す「Ｔｙｐｅ  Ｉｎｄｉｃａｔｏｒ」を含む発信要求を送信するように構成されている。
【００２９】
ＡＳ機能１４は、ＡＳ/ＲＲＣ（Ｒａｄｉｏ  Ｒｅｓｏｕｒｃｅ  Ｃｏｎｔｒｏｌ）レイヤの役割（無線発着信制御や無線リソース制御や無線測定制御等）を果たすように構成されている。
【００３０】
具体的には、ＡＳ機能１４は、待ち受けセルにおいて、無線基地局ｅＮＢによって送信されている報知情報を受信するように構成されている。
【００３１】
例えば、ＡＳ機能１４は、待ち受けセルにおいて、「ａｃ-Ｂａｒｒｉｎｇ  Ｆｏｒ  ＭＯ-Ｄａｔａ」や、「ａｃ-Ｂａｒｒｉｎｇ  Ｆｏｒ  ＭＯ-Ｓｉｇｎａｌｌｉｎｇ」や、「ＳＳＡＣ  Ｆｏｒ  ＭＭＴＥＬ-Ｖｏｉｃｅ」や、「ＳＳＡＣ  Ｆｏｒ  ＭＭＴＥＬ-Ｖｉｄｅｏ」や、ＣＳＦＢ用アクセス規制情報や、ＭＴＣ用アクセス規制情報に加えて、「ａｃ-Ｂａｒｒｉｎｇ（ＡＣＢ）  Ｆｏｒ  ＴＹＰＥ  ｘ」を受信するように構成されている。
【００３２】
また、ＡＳ機能１４は、待ち受けセルにおいて、ＮＡＳ機能１３から受信した発信要求の宛先ＡＰＮに対して設定されているＥＰＳベアラのタイプに対応する「ａｃ-Ｂａｒｒｉｎｇ  Ｆｏｒ  ＴＹＰＥ  ｘ」が報知されているか否かに応じて、かかる発信要求を送信するか否かについて判定するように構成されている。
【００３３】
すなわち、ＡＳ機能１４は、ＮＡＳ機能１３から受信した発信要求に含まれている「Ｔｙｐｅ  Ｉｎｄｉｃａｔｏｒ」によって示されているタイプ及び待ち受けセルにおいて報知されている「ａｃ-Ｂａｒｒｉｎｇ  Ｆｏｒ  ＴＹＰＥ  ｘ」に基づいて、かかる発信要求を送信するか否かについて判定するように構成されている。
【００３４】
なお、ＡＳ機能１４は、移動局ＵＥがＩＤＬＥ状態からＣＯＮＮＥＣＴＥＤ状態に遷移する場合に、上述の判定を行うように構成されている。
【００３５】
また、ＡＳ機能１４は、ＣＯＮＮＥＣＴＥＤ状態の移動局ＵＥが、新たにＥＰＳベアラに応じたＤＲＢの設定を要求する場合に、かかるＥＰＳベアラのタイプに応じて、上述の判定を行うように構成されていてもよい。
【００３６】
以下、図３を参照して、本発明の第１の実施形態に係る移動通信システムの動作の一例について説明する。
【００３７】
図３に示すように、ステップＳ１０００において、移動局ＵＥのＡＳ機能１４は、待ち受けセルにおいて、無線基地局ｅＮＢによって報知されている報知情報、例えば、「ａｃ-Ｂａｒｒｉｎｇ  Ｆｏｒ  ＴＹＰＥ  ｘ」を受信する。
【００３８】
ステップＳ１００１において、移動局ＵＥのＩＭＳ/ＭＭＴＥＬ機能１１又はアプリケーション機能１２が、移動局ＵＥのＮＡＳ機能１３に対して、発信要求を送信する。
【００３９】
ＮＡＳ機能１３は、ステップＳ１００２において、かかる発信要求の宛先ＡＰＮに対して設定されているＥＰＳベアラのタイプを特定し、ステップＳ１００３において、ＡＳ機能１４に対して、かかるＥＰＳベアラのタイプを示す「Ｔｙｐｅ  Ｉｎｄｉｃａｔｏｒ」を含む発信要求を送信する。
【００４０】
ステップＳ１００４において、ＡＳ機能１４は、待ち受けセルにおいて、ＮＡＳ機能１３から受信した発信要求の宛先ＡＰＮに対して設定されているＥＰＳベアラのタイプに対応する「ａｃ-Ｂａｒｒｉｎｇ  Ｆｏｒ  ＴＹＰＥ  ｘ」が報知されているか否かに応じて、かかる発信要求を送信するか否かについて判定する。
【００４１】
ＡＳ機能１４は、待ち受けセルにおいて、ＮＡＳ機能１３から受信した発信要求の宛先ＡＰＮに対して設定されているＥＰＳベアラのタイプに対応する「ａｃ-Ｂａｒｒｉｎｇ  Ｆｏｒ  ＴＹＰＥ  ｘ」が報知されていないと判定した場合、無線基地局ｅＮＢに対して、かかる発信要求を送信する。
【００４２】
一方、ＡＳ機能１４は、待ち受けセルにおいて、ＮＡＳ機能１３から受信した発信要求の宛先ＡＰＮに対して設定されているＥＰＳベアラのタイプに対応する「ａｃ-Ｂａｒｒｉｎｇ  Ｆｏｒ  ＴＹＰＥ  ｘ」が報知されていると判定した場合、報知されている「ａｃ-Ｂａｒｒｉｎｇ  Ｆｏｒ  ＴＹＰＥ  ｘ」に応じた規制判定処理を行い、その結果、規制中であると判定した場合、無線基地局ｅＮＢに対して、かかる発信要求を送信しない。
【００４３】
かかる規制判定処理は、「ａｃ-Ｂａｒｒｉｎｇ  Ｆｏｒ  ＳｐｅｃｉａｌＡＣ」のビットマップに基づいて行われてよいし、「ａｃ-Ｂａｒｒｉｎｇ  Ｆａｃｔｏｒ」と乱数とを比較して行われてもよい。
【００４４】
また、ＡＳ機能１４は、かかる規制判定処理において、「ａｃ-Ｂａｒｒｉｎｇ  Ｆｏｒ  ＴＹＰＥ  ｘ」が報知されているか否かによらず、前回の規制判定処理において、規制中と判定して、「ａｃ-Ｂａｒｒｉｎｇ  Ｔｉｍｅ」に基づく所定のタイマが起動中の場合に、規制中と判定してもよい。
【００４５】
ここで、ＥＰＳベアラのタイプは、ＥＰＳベアラのコンテキストが作成される際に、ネットワークから移動局ＵＥに対して指定される。例えば、移動局ＵＥが、Ａｔｔａｃｈを行う際や、移動局ＵＥ又はネットワークが、ＥＰＳベアラを作成する際に、かかるＥＰＳベアラのタイプが、ネットワークから移動局ＵＥに指定される。
【００４６】
具体的には、ＮＡＳプロトコルを用いて、移動管理ノードＭＭＥから移動局ＵＥに対して、ＥＰＳベアラ毎に、かかるタイプが指定される。
【００４７】
例えば、「ＰＤＮ  Ｃｏｎｎｅｃｔｉｖｉｔｙ  Ｒｅｑｕｅｓｔ」や「ＥＰＳ  ｂｅａｒｅｒ  Ｃｏｎｔｅｘｔ  Ｍｏｄｉｆｉｃａｔｉｏｎ」等の手順を用いて、ＭＭＥから移動局ＵＥに対して、かかるタイプが指定されてもよい。
【００４８】
本発明の第１の実施形態に係る移動通信システムによれば、発信要求の宛先ＡＰＮに対して設定されているＥＰＳベアラのタイプに応じて、移動局ＵＥのアクセス規制を行うことができる。
【００４９】
特に、特定のＡＰＮのサーバに障害が発生した場合に、一斉に多数の移動局ＵＥが、かかるＡＰＮサーバに対して発信要求することを防ぐことができ、ネットワークの無駄な輻輳を防止できる。
【００５０】
（変更例１）
以下、図４を参照して、本発明の変更例１に係る移動通信システムについて、上述の第１の実施形態に係る移動通信システムとの相違点に着目して説明する。
【００５１】
本変更例１に係る移動局ＵＥのＡＳ機能１４は、ＮＡＳ機能１３に対して、待ち受けセルにおいて報知されている「ａｃ-Ｂａｒｒｉｎｇ  Ｆｏｒ  ＴＹＰＥ  ｘ」について通知するように構成されている。
【００５２】
ここで、ＡＳ機能１４は、ＮＡＳ機能１３に対して、報知されている「ａｃ-Ｂａｒｒｉｎｇ  Ｆｏｒ  ＴＹＰＥ  ｘ」自身を送信することによって、ＮＡＳ機能１３に対して、かかる「ａｃ-Ｂａｒｒｉｎｇ  Ｆｏｒ  ＴＹＰＥ  ｘ」について通知してもよい。
【００５３】
或いは、ＡＳ機能１４は、ＮＡＳ機能１３に対して、報知されている「ａｃ-Ｂａｒｒｉｎｇ  Ｆｏｒ  ＴＹＰＥ  ｘ」に基づいて算出した所定情報を送信することによって、ＮＡＳ機能１３に対して、かかる「ａｃ-Ｂａｒｒｉｎｇ  Ｆｏｒ  ＴＹＰＥ  ｘ」について通知してもよい。
【００５４】
また、本変更例１に係る移動局ＵＥのＮＡＳ機能１３は、ＩＭＳ/ＭＭＴＥＬ機能１１やアプリケーション機能１２から受信した発信要求の宛先ＡＰＮに対して設定されているＥＰＳベアラのタイプ及び通知された「ａｃ-Ｂａｒｒｉｎｇ  Ｆｏｒ  ＴＹＰＥ  ｘ」に基づいて、かかる発信要求を送信するか否かについて判定するように構成されている。
【００５５】
以下、図４を参照して、本変更例１に係る移動通信システムの動作の一例について説明する。
【００５６】
図４に示すように、ステップＳ２０００において、移動局ＵＥのＡＳ機能１４は、待ち受けセルにおいて、無線基地局ｅＮＢによって報知されている報知情報、例えば、「ａｃ-Ｂａｒｒｉｎｇ  Ｆｏｒ  ＴＹＰＥ  ｘ」を受信する。
【００５７】
ステップＳ２００１において、移動局ＵＥのＩＭＳ/ＭＭＴＥＬ機能１１又はアプリケーション機能１２が、移動局ＵＥのＮＡＳ機能１３に対して、発信要求を送信する。
【００５８】
ステップＳ２００２において、ＮＡＳ機能１３は、ＡＳ機能１４に対して、かかる発信要求を受信した旨を通知する。
【００５９】
ステップ２００３において、ＡＳ機能１４は、ＮＡＳ機能１３に対して、待ち受けセルにおいて報知されている「ａｃ-Ｂａｒｒｉｎｇ  Ｆｏｒ  ＴＹＰＥ  ｘ」について通知するためのパラメータを送信する。
【００６０】
ステップＳ２００４において、ＮＡＳ機能１３は、待ち受けセルにおいて、ＮＡＳ機能１３から受信した発信要求の宛先ＡＰＮに対して設定されているＥＰＳベアラのタイプに対応する「ａｃ-Ｂａｒｒｉｎｇ  Ｆｏｒ  ＴＹＰＥ  ｘ」に基づいて、かかる発信要求を送信するか否かについて判定する。
【００６１】
ＮＡＳ機能１３は、待ち受けセルにおいて、ＩＭＳ/ＭＭＴＥＬ機能１１又はアプリケーション機能１２から受信した発信要求の宛先ＡＰＮに対して設定されているＥＰＳベアラのタイプに対応する「ａｃ-Ｂａｒｒｉｎｇ  Ｆｏｒ  ＴＹＰＥ  ｘ」が報知されていないと判定した場合、ＡＳ機能１４に対して、かかる発信要求を送信する。
【００６２】
一方、ＮＡＳ機能１３は、待ち受けセルにおいて、ＩＭＳ/ＭＭＴＥＬ機能１１又はアプリケーション機能１２から受信した発信要求の宛先ＡＰＮに対して設定されているＥＰＳベアラのタイプに対応する「ａｃ-Ｂａｒｒｉｎｇ  Ｆｏｒ  ＴＹＰＥ  ｘ」が報知されていると判定した場合、報知されている「ａｃ-Ｂａｒｒｉｎｇ  Ｆｏｒ  ＴＹＰＥ  ｘ」に応じた規制判定処理を行い、その結果、規制中であると判定された場合、ＡＳ機能１４に対して、かかる発信要求を送信しない。
【００６３】
なお、かかる規制判定処理は、ＮＡＳ機能１３の代わりに、ＩＭＳ/ＭＭＴＥＬ機能１１又はアプリケーション機能１２で行われてもよい。この場合、ＡＳ機能１４又はＮＡＳ機能１３が、ＩＭＳ/ＭＭＴＥＬ機能１１又はアプリケーション機能１２に対して、ＥＰＳベアラのタイプに対応する「ａｃ-Ｂａｒｒｉｎｇ  Ｆｏｒ  ＴＹＰＥ  ｘ」を通知する。
【００６４】
以上に述べた本実施形態の特徴は、以下のように表現されていてもよい。
【００６５】
本実施形態の第１の特徴は、移動局ＵＥとゲートウェイ装置Ｐ/Ｓ-ＧＷとの間で、ＡＰＮ（アクセスポイント）毎にＥＰＳベアラ（サービスベアラ）を設定することができるように構成されている移動通信システムにおける移動通信方法であって、無線基地局ｅＮＢが、配下のセルにおいて、ＥＰＳベアラのタイプ別にアクセスを規制するための「ａｃ-Ｂａｒｒｉｎｇ  Ｆｏｒ  ＴＹＰＥ  ｘ（タイプ別アクセス情報）」を報知する工程Ａと、移動局ＵＥが、待ち受けセルにおいて、発信要求の宛先ＡＰＮに対して設定されているＥＰＳベアラのタイプに対応する「ａｃ-Ｂａｒｒｉｎｇ  Ｆｏｒ  ＴＹＰＥ  ｘ」が報知されているか否かに応じて、かかる発信要求を送信するか否かについて判定する工程Ｂとを有することを要旨とする。
【００６６】
本実施形態の第１の特徴において、工程Ｂは、移動局ＵＥのＮＡＳ機能１３が、移動局ＵＥのＡＳ機能１４に対して、発信要求の宛先ＡＰＮに対して設定されているＥＰＳベアラのタイプを通知する工程と、移動局ＵＥのＡＳ機能１４が、通知されたタイプ及び待ち受けセルにおいて報知されている「ａｃ-Ｂａｒｒｉｎｇ  Ｆｏｒ  ＴＹＰＥ  ｘ」に基づいて、かかる発信要求を送信するか否かについて判定する工程とを有してもよい。
【００６７】
本実施形態の第１の特徴において、工程Ｂは、移動局ＵＥのＡＳ機能１４が、移動局ＵＥのＮＡＳ機能１３に対して、待ち受けセルにおいて報知されている「ａｃ-Ｂａｒｒｉｎｇ  Ｆｏｒ  ＴＹＰＥ  ｘ」について通知する工程と、移動局ＵＥのＮＡＳ機能１３が、発信要求の宛先ＡＰＮに対して設定されているＥＰＳベアラのタイプ及び通知された「ａｃ-Ｂａｒｒｉｎｇ  Ｆｏｒ  ＴＹＰＥ  ｘ」に基づいて、かかる発信要求を送信するか否かについて判定する工程とを有してもよい。
【００６８】
本実施形態の第１の特徴において、かかる移動通信方法は、ＥＰＳベアラのコンテキストが作成される際に、移動管理ノードＭＭＥ（ネットワーク）が、移動局ＵＥに対して、かかるＥＰＳベアラのタイプを指定する工程を有していてもよい。
【００６９】
本実施形態の第２の特徴は、ゲートウェイ装置Ｐ/Ｓ-ＧＷとの間で、ＡＰＮ毎にＥＰＳベアラを設定することができるように構成されている移動局ＵＥであって、待ち受けセルにおいて報知されているＥＰＳベアラのタイプ別にアクセスを規制するための「ａｃ-Ｂａｒｒｉｎｇ  Ｆｏｒ  ＴＹＰＥ  ｘ」を受信するように構成されており、待ち受けセルにおいて、発信要求の宛先ＡＰＮに対して設定されているＥＰＳベアラのタイプに対応する「ａｃ-Ｂａｒｒｉｎｇ  Ｆｏｒ  ＴＹＰＥ  ｘ」が通知されているか否かに応じて、かかる発信要求を送信するか否かについて判定するように構成されていることを要旨とする。
【００７０】
本実施形態の第２の特徴において、ＡＳ機能１４とＮＡＳ機能１３とを具備しており、ＮＡＳ機能１３は、ＡＳ機能１４に対して、発信要求の宛先ＡＰＮに対して設定されているＥＰＳベアラのタイプを通知するように構成されており、ＡＳ機能１４は、「ａｃ-Ｂａｒｒｉｎｇ  Ｆｏｒ  ＴＹＰＥ  ｘ」を受信するように構成されており、ＡＳ機能１４は、通知されたタイプ及び待ち受けセルにおいて報知されている「ａｃ-Ｂａｒｒｉｎｇ  Ｆｏｒ  ＴＹＰＥ  ｘ」に基づいて、かかる発信要求を送信するか否かについて判定するように構成されていてもよい。
【００７１】
本実施形態の第２の特徴において、ＡＳ機能１４とＮＡＳ機能１３とを具備しており、ＡＳ機能１４は、「ａｃ-Ｂａｒｒｉｎｇ  Ｆｏｒ  ＴＹＰＥ  ｘ」を受信するように構成されており、ＡＳ機能１４は、ＮＡＳ機能１３に対して、待ち受けセルにおいて報知されている「ａｃ-Ｂａｒｒｉｎｇ  Ｆｏｒ  ＴＹＰＥ  ｘ」について通知するように構成されており、ＮＡＳ機能１３は、発信要求の宛先ＡＰＮに対して設定されているＥＰＳベアラのタイプ及び通知された「ａｃ-Ｂａｒｒｉｎｇ  Ｆｏｒ  ＴＹＰＥ  ｘ」に基づいて、かかる発信要求を送信するか否かについて判定するように構成されていてもよい。
【００７２】
本実施形態の第２の特徴において、ＮＡＳ機能１３は、ＥＰＳベアラのコンテキストが作成される際に、移動管理ノードＭＭＥから、かかるＥＰＳベアラのタイプが指定されるように構成されていてもよい。
【００７３】
なお、上述の無線基地局ｅＮＢや移動局ＵＥの動作は、ハードウェアによって実施されてもよいし、プロセッサによって実行されるソフトウェアモジュールによって実施されてもよいし、両者の組み合わせによって実施されてもよい。
【００７４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線基地局ｅＮＢや移動局ＵＥ内に設けられていてもよい。また、かかる記憶媒体及びプロセッサは、ディスクリートコンポーネントとして無線基地局ｅＮＢや移動局ＵＥ内に設けられていてもよい。
【００７６】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００７７】
ｅＮＢ…無線基地局
ＵＥ…移動局
１１…ＩＭＳ/ＭＭＴＥＬ機能
１２…アプリケーション機能
１３…ＮＡＳ機能
１４…ＡＳ機能
【図１】
0005396375.tif 000002
【図２】
0005396375.tif 000003
【図３】
0005396375.tif 000004
【図４】
0005396375.tif 000005